(57)【要約】【課題】  被切断物の大きさに応じて長さの異なる複数種の切断ガイド板を選択使用できるようにしたことで、被切断物の大きさを問わず良好に切断を行うことが可能となる切断ガイド用定規を提供すること。【解決手段】  切断ガイド板２と、角度報知板３とを着脱分離自在に連結し得るように構成して少なくとも長さの異なる複数種の切断ガイド板２を選択連結し得るように構成し、この切断ガイド板２と角度報知板３との連結構造は、角度報知板３に設けた略Ｕ状の被嵌部５を切断ガイド板２の長手方向の外側縁に被嵌連結する構造とし、この被嵌部５は、角度報知板３を構成する板材から一体に切り出し形成した切り出し片５Ａを略Ｕ状に屈曲形成することで構成すると共に、間隔を置いて前記角度報知板３の複数箇所に設ける。【選択図】      図３
2006088358.tif 000002
【特許請求の範囲】
【請求項１】
被切断物の上面に載置せしめる長尺な切断ガイド板の一端部に角度報知板を設け、この角度報知板に、被切断物の外端縁に沿設係止せしめる角度指示板を回動角度調整自在に設け、角度報知板に対して所望設定角度となるように回動角度調整を行ったこの角度指示板を被切断物の外端縁に沿設係止すると共に前記切断ガイド板を被切断物の上面に載置し、この際、角度指示板を沿設係止した被切断物の外端縁に対し設定角度で被切断物上に載置する前記切断ガイド板に沿って被切断物を切断し得るように構成した切断ガイド用定規において、前記切断ガイド板は、前記角度報知板に対し着脱分離自在に連結し得るように構成して少なくとも長さの異なる複数種の切断ガイド板を選択連結し得るように構成し、この切断ガイド板と角度報知板との連結構造は、角度報知板に設けた略Ｕ状の被嵌部を切断ガイド板の長手方向の外側縁に被嵌連結する構造とし、この被嵌部は、角度報知板を構成する板材から一体に切り出し形成した切り出し片を略Ｕ状に屈曲形成することで構成すると共に、間隔を置いて前記角度報知板の複数箇所に設けたことを特徴とする切断ガイド用定規。
【請求項２】
前記角度報知板は、略半円形に形成して直線縁部の存する側を前記切断ガイド板に対する連結側とし、この角度報知板の複数箇所から切り出し形成した前記切り出し片を前記直線縁部に向けて略Ｕ状に屈曲することで前記被嵌部を構成し、この複数の被嵌部の半数以上は、この被嵌部を構成する切り出し片の先端縁が前記直線縁部よりも外方へ突出しない構成としたことを特徴とする請求項１記載の切断ガイド用定規。
【請求項３】
前記角度報知板は、略半円形に形成して直線縁部の存する側を前記切断ガイド板に対する連結側とし、この直線縁部の両端部に、この直線縁部から円弧縁部側へ向けて所定長の取付溝を切欠形成し、この夫々の取付溝に挿入する取付杆を前記切断ガイド板に設けて、前記被嵌部を前記切断ガイド板の長手方向の外側縁に被嵌連結した際、夫々の取付溝に取付杆が挿入する構成とし、この取付溝の一方を、前記直線縁部に対して直交する方向に溝長を有する形状とし、他方を、直線縁部に対して斜め方向に溝長を有する形状とし、この他方の傾斜取付溝側の直線縁部と前記円弧縁部との連設端縁をＲ形状に形成したことを特徴とする請求項１，２のいずれか１項に記載の切断ガイド用定規。
【請求項４】
前記角度報知板は、中央部が開口する枠形状に切欠形成し、この中央開口部を切欠形成する際、前記切り出し片を複数残すようにして切欠し、この残された複数の切り出し片を略Ｕ状に屈曲形成することで前記被嵌部を構成したことを特徴とする請求項１〜３のいずれか１項に記載の切断ガイド用定規。
【発明の詳細な説明】
【技術分野】
【０００１】
本発明は、木材や外壁材や建築用ボードなどの被切断物を、電動丸鋸などの切断工具を用いて所要形状に切断する際に使用する切断ガイド用定規に関する。
【背景技術】
【０００２】
従来から、木材や外壁材や建築用ボードなどの被切断物１を所要形状に切断する際には、長尺な切断ガイド板２の一端部に略半円形をなす角度報知板３（分度板）を設けると共に、この角度報知板３に角度指示板４を回動角度調整自在に設けた構造の切断ガイド用定規が用いられている。
【０００３】
この切断ガイド用定規の使用方法は、角度指示板４を角度報知板３を見ながら被切断物１を切断したい所望角度となるように回動角度調整し、この角度指示板４を被切断物１の外端縁に沿設係止して切断ガイド板２を被切断物１の上面に載置すると、角度指示板４を沿設係止した被切断物１の外端縁に対して切断ガイド板２が被切断物１の上面に前記所望角度を示した状態で載置するので、この切断ガイド板２に沿って例えば電動丸鋸９を移動せさることで被切断物１を所望設定角度に切断できる（図８乃至図１０参照）。
【発明の開示】
【発明が解決しようとする課題】
【０００４】
ところで、この切断ガイド用定規には、長尺な切断ガイド板が装備されるが、被切断物の大きさによってはこの切断ガイド板の長さが足りなくなって上手く切断できない場合がある。
【０００５】
本発明は、このような問題点に注目し、これを解決することができる切断ガイド用定規を提供するものである。
【課題を解決するための手段】
【０００６】
添付図面を参照して本発明の要旨を説明する。
【０００７】
被切断物１の上面に載置せしめる長尺な切断ガイド板２の一端部に角度報知板３を設け、この角度報知板３に、被切断物１の外端縁に沿設係止せしめる角度指示板４を回動角度調整自在に設け、角度報知板３に対して所望設定角度となるように回動角度調整を行ったこの角度指示板４を被切断物１の外端縁に沿設係止すると共に前記切断ガイド板２を被切断物１の上面に載置し、この際、角度指示板４を沿設係止した被切断物１の外端縁に対し設定角度で被切断物１上に載置する前記切断ガイド板２に沿って被切断物１を切断し得るように構成した切断ガイド用定規において、前記切断ガイド板２は、前記角度報知板３に対し着脱分離自在に連結し得るように構成して少なくとも長さの異なる複数種の切断ガイド板２を選択連結し得るように構成し、この切断ガイド板２と角度報知板３との連結構造は、角度報知板３に設けた略Ｕ状の被嵌部５を切断ガイド板２の長手方向の外側縁に被嵌連結する構造とし、この被嵌部５は、角度報知板３を構成する板材から一体に切り出し形成した切り出し片５Ａを略Ｕ状に屈曲形成することで構成すると共に、間隔を置いて前記角度報知板３の複数箇所に設けたことを特徴とする切断ガイド用定規に係るものである。
【０００８】
また、前記角度報知板３は、略半円形に形成して直線縁部30Ａの存する側を前記切断ガイド板２に対する連結側とし、この角度報知板３の複数箇所から切り出し形成した前記切り出し片５Ａを前記直線縁部30Ａに向けて略Ｕ状に屈曲することで前記被嵌部５を構成し、この複数の被嵌部５の半数以上は、この被嵌部５を構成する切り出し片５Ａの先端縁が前記直線縁部30Ａよりも外方へ突出しない構成としたことを特徴とする請求項１記載の切断ガイド用定規に係るものである。
【０００９】
また、前記角度報知板３は、略半円形に形成して直線縁部30Ａの存する側を前記切断ガイド板２に対する連結側とし、この直線縁部30Ａの両端部に、この直線縁部30Ａから円弧縁部31Ａ側へ向けて所定長の取付溝６を切欠形成し、この夫々の取付溝６に挿入する取付杆７を前記切断ガイド板２に設けて、前記被嵌部５を前記切断ガイド板２の長手方向の外側縁に被嵌連結した際、夫々の取付溝６に取付杆７が挿入する構成とし、この取付溝６の一方を、前記直線縁部30Ａに対して直交する方向に溝長を有する形状とし、他方を、直線縁部30Ａに対して斜め方向に溝長を有する形状とし、この他方の傾斜取付溝６Ａ側の直線縁部30Ａと前記円弧縁部31Ａとの連設端縁をＲ形状に形成したことを特徴とする請求項１，２のいずれか１項に記載の切断ガイド用定規に係るものである。
【００１０】
また、前記角度報知板３は、中央部が開口する枠形状に切欠形成し、この中央開口部３Ａを切欠形成する際、前記切り出し片５Ａを複数残すようにして切欠し、この残された複数の切り出し片５Ａを略Ｕ状に屈曲形成することで前記被嵌部５を構成したことを特徴とする請求項１〜３のいずれか１項に記載の切断ガイド用定規に係るものである。
【発明の効果】
【００１１】
本発明は上述のように構成したから、被切断物の大きさに応じて長さの異なる複数種の切断ガイド板を選択使用できるので、被切断物の大きさを問わず良好に切断を行うことが可能となり、しかも、切断ガイド板と角度報知板との着脱連結構造は、角度報知板に設けた略Ｕ状の被嵌部を切断ガイド板の外側縁に被嵌連結するだけの簡易な連結構造のため、着脱作業を容易に行うことができ、また、被嵌部は角度報知板と一体物としたので、容易に形成可能であると共に強度が高く商品の長寿命化が実現でき、その上、被嵌部を間隔を置いて複数箇所に設けたため、被嵌部内にゴミや切断屑などが溜まりにくいし、この被嵌部内の清掃等のメンテナンスも容易に行うことができるなど、極めて実用性に秀れた切断用ガイド定規となる。
【００１２】
また、請求項２記載の発明においては、角度報知板を切断ガイド板と分離した状態でこの角度報知板の直線縁部側を不意に何かにぶつけてしまっても、半数以上の被嵌部は損傷を生じにくので、一層の商品の長寿命化が実現することになる極めて実用性に秀れた構成の切断用ガイド定規となる。
【００１３】
また、請求項３記載の発明においては、傾斜取付溝に挿入した取付杆が簡単に挿脱することがないため、切断ガイド板と角度報知板とを分離する際に、切断ガイド板あるいは角度報知板が突然分離落下して損傷してしまうようなことを防止でき、しかも、取付溝の他方だけを傾斜取付溝としたために、切断ガイド板と角度報知板とを連結する際には、先ず傾斜取付溝に片方の取付杆を挿入し、次いでこの傾斜取付溝に挿入した取付杆を支点に角度報知板を回動させて一方の取付溝にもう片方の取付杆を挿入するが、この際、実施例で示した構造のように、切断ガイド板の取付杆付近に膨出段差部分がある場合でも、Ｒ形状に形成した傾斜取付溝側の直線縁部と前記円弧縁部との連設端縁が前記段差部分を逃げて角度報知板の回動移動の支障とならないために、この連結作業を容易に行うことができるなど、一層実用性に秀れた構成の切断用ガイド定規となる。
【００１４】
また、請求項４記載の発明においては、角度報知板と一体の被嵌部を簡易に設計実現可能となる一層実用性に秀れた構成の切断用ガイド定規となる。
【発明を実施するための最良の形態】
【００１５】
少なくとも切断ガイド板２は、小型の被切断物１から大型の被切断物１まで対応使用できるように、長さの異なるものを複数種用意する。
【００１６】
被切断物１の大きさに応じて選択した切断ガイド板２の一端側の長手方向の外側縁に、角度報知板３の略Ｕ状の被嵌部５を被嵌連結することで切断ガイド板２と角度報知板３とを容易に連結することができる。
【００１７】
角度指示板４を角度報知板３を見ながら被切断物１を切断したい所望角度となるように回動角度調整し、この角度指示板４を被切断物１の外端縁に沿設係止して切断ガイド板２を被切断物１の上面に載置すると、角度指示板４を沿設係止した被切断物１の外端縁に対して切断ガイド板２が被切断物１の上面に前記所望角度を示した状態で載置することになる。
【００１８】
次いで、この切断ガイド板２に沿って例えば電動丸鋸９を移動させることで、被切断物１を所望角度に切断できる。
【００１９】
従って、本発明では、被切断物１の大きさに応じて長さの異なる複数種の切断ガイド板２を選択使用できるので、どのような大きさの被切断物１であっても切断長を満たした切断ガイド板２によって確実に所要形状に切断することができ、極めて実用的となる。
【００２０】
また、角度報知板３を構成する板材から一体に切り出し形成した切り出し片５Ａを略Ｕ状に屈曲形成して構成した本発明の被嵌部５は、容易に設計実現可能であり、しかも、例えば、別部品の板材を略Ｕ状に屈曲形成して成る被嵌部５を角度報知板３に接合するような構造に比べると、角度報知板３と一体物であるが故に強度が高く、商品の長寿命化が実現することになる。
【００２１】
また、間隔を置いて角度報知板３の複数箇所に設けた本発明の被嵌部５は、例えば、長く広範囲に略Ｕ状の被嵌部５を設けるような構造に比べて、この被嵌部５内にゴミや切断屑などが溜まりにくく、この被嵌部５内の清掃等のメンテナンスも容易に行うことができる。
【００２２】
また、例えば、前記角度報知板３は、略半円形に形成して直線縁部30Ａの存する側を前記切断ガイド板２に対する連結側とし、この角度報知板３の複数箇所から切り出し形成した前記切り出し片５Ａを前記直線縁部30Ａに向けて略Ｕ状に屈曲することで前記被嵌部５を構成し、この複数の被嵌部５の半数以上は、この被嵌部５を構成する切り出し片５Ａの先端縁が前記直線縁部30Ａよりも外方へ突出しない構成とすれば、例えば、被嵌部５を構成する切り出し片５Ａの先端縁が前記直線縁部30Ａよりも外方へ突出する構造であると、切断ガイド板２から分離した状態の角度報知板３を万一落としたりして直線縁部30Ａ側を何かにぶつけた際にこの突出する被嵌部５の先端縁が損傷し易いが、先端縁が直線縁部30Ａよりも外方へ突出しない半数以上の被嵌部５はこのような場合でも損傷を生じにくくなるので、商品の長寿命化が実現することとなる。
【００２３】
また、例えば、前記角度報知板３は、略半円形に形成して直線縁部30Ａの存する側を前記切断ガイド板２に対する連結側とし、この直線縁部30Ａの両端部に、この直線縁部30Ａから円弧縁部31Ａ側へ向けて所定長の取付溝６を切欠形成し、この夫々の取付溝６に挿入する取付杆７を前記切断ガイド板２に設けて、前記被嵌部５を前記切断ガイド板２の長手方向の外側縁に被嵌連結した際、夫々の取付溝６に取付杆７が挿入する構成とし、この取付溝６の一方を、前記直線縁部30Ａに対して直交する方向に溝長を有する溝に形成し、他方を、直線縁部30Ａに対して斜め方向に溝長を有する溝に形成し、この他方の傾斜取付溝６Ａ側の直線縁部30Ａと前記円弧縁部31Ａとの連設端縁をＲ形状に形成すれば、傾斜取付溝６Ａに挿入した取付杆７は簡単には挿脱しないから、切断ガイド板２と角度報知板３とを分離する際に、切断ガイド板２から角度報知板３が、あるいは角度報知板３から切断ガイド板２が突然分離落下して損傷してしまうようなことを防止でき、しかも、取付溝６の他方だけを傾斜取付溝６Ａとしたために、切断ガイド板２と角度報知板３とを連結する際には両方の取付溝６に同時に取付杆７を挿入することはできず、先ず傾斜取付溝６Ａに片方の取付杆７を挿入し、次いでこの傾斜取付溝６Ａに挿入した取付杆７を支点に角度報知板３を回動させて一方の取付溝６にもう片方の取付杆７を挿入するが、この際、実施例で示した構造のように、切断ガイド板２の取付杆７付近に膨出段差部分がある場合でも、Ｒ形状に形成した傾斜取付溝６Ａ側の直線縁部30Ａと前記円弧縁部31Ａとの連設端縁が段差部分を逃げるために角度報知板３を回動移動の支障とならず、この連結作業を容易に行うことができる。
【００２４】
また、例えば、前記角度報知板３は、中央部が開口する枠形状に切欠形成し、この中央開口部３Ａを切欠形成する際、前記切り出し片５Ａを複数残すようにして切欠し、この残された複数の切り出し片５Ａを略Ｕ状に屈曲形成することで前記被嵌部５を構成すれば、角度報知板３と一体の被嵌部５を簡易に設計実現可能となり、一層実用的となる。
【実施例】
【００２５】
本実施例は、被切断物１の上面に載置せしめる長尺な切断ガイド板２の一端部に角度報知板３を設け、この角度報知板３に、被切断物１の外端縁に沿設係止せしめる角度指示板４を回動角度調整自在に設けた切断ガイド用定規に係るものである。
【００２６】
具体的には、切断ガイド板２は、ストレート帯板状の定規体を採用している。
【００２７】
また、この切断ガイド板２の上面には、この切断ガイド板の長さ方向に沿って細帯状の膨出ガイド部２Ａを一体に突設し、この膨出ガイド部２Ａの上面には図示省略の目盛を表示すると共に、電動丸鋸９を載置可能なスライド体８をこの膨出ガイド部２Ａに沿ってスライド可能に設け、このスライド体８上に載置した電動丸鋸９を切断ガイド板２に沿ってスライド移動させることで被切断物１をこの切断ガイド板２に沿って切断できる構成としている。
【００２８】
角度報知板３は、略半円形を呈すると共に、円弧縁部に沿って図示省略の分度目盛が表示された分度板を採用している。
【００２９】
また、この角度報知板３は、その中央部を角度報知板３の外形状に同調した一回り小さな半円形状に切欠形成して図示のような枠形状とし、軽量化を図っている。
【００３０】
角度指示板４は、ストレート帯板体を採用し、下面には被切断物１の外端縁に沿設係止する係止段部４Ａを形成している。
【００３１】
また、この角度指示板４は、一端部を前記角度報知板３の円弧に対する略中心点位置に枢着して角度報知板３の円弧縁部31Ａに沿って回動可能に設けることで、前記分度目盛に合せた角度調整設定を行える構成としている。
【００３２】
また、この角度指示板４の一側面（図１における上面）には操作用ハンドル10を突設し、この操作用ハンドル10を操作して角度指示板４を角度報知板３に対し簡単に回動角度調整できるようにしている。
【００３３】
また、この角度指示板４は、角度報知板３の円弧板部31の下面に重合するように設け、この円弧板部31の（分度目盛が表示された）上面に帯板状の抑え板11を配設し、この抑え板11は、その一端部を角度指示板４の前記枢着部に枢着して角度報知板３に対し回動可能に設けている。
【００３４】
また、この抑え板11の他端部は、円弧板部31よりも外側に位置している角度指示板４の途中に設けた挿通台部12に挿通して位置決めし、これによりこの抑え板11は角度指示板４と共に回動可能となるように設けている。
【００３５】
また、この挿通台部12には、締付摘み13を螺着してこの締付摘み13の締付回動螺動により抑え板11が角度指示板４に押し付けられるように作用する構成とし、これによって抑え板11と角度指示板４とが前記円弧板部31を挟み込み固定することとなって、角度指示板４を角度報知板３に対し任意の角度位置で固定保持できる構成としている。尚、図中符号11Ａは抑え板11の円弧板と重合する部位に開口切欠形成した目盛読み取り窓である。
【００３６】
本実施例では、前記切断ガイド板２は、前記角度報知板３に対し着脱分離自在に連結し得るように構成して少なくとも長さの異なる複数種の切断ガイド板２を選択連結し得るように構成している。
【００３７】
具体的には、切断ガイド板２は、４５０ｍｍ，６００ｍｍ，９００ｍｍ，１２００ｍｍ，１８００ｍｍ，２１００ｍｍの７種類の長さ寸法のものを用意し、これにより様々な大きさの被切断物１に選択対応できるようにしている。
【００３８】
また、角度報知板３も、大きさ（分度板の直径寸法）の異なる大小２種類を用意し、使用する切断ガイド板２の長さに応じて適当なものを選択使用できるようにしている。
【００３９】
また、この切断ガイド板２と角度報知板３との連結構造は、角度報知板３に設けた略Ｕ状の被嵌部５を切断ガイド板２の長手方向の外側縁に被嵌連結する構造としている。
【００４０】
具体的には、角度報知板３の直線縁部30Ａの存する側を前記切断ガイド板２に対する連結側とし、この直線縁部30Ａを有する直線板部30の内側縁部（図２乃至図７において上側縁部）に、この角度報知板３の中央開口部３Ａを切欠（例えば、打ち貫き形成）する際同時に内側（図面上方）に向かって突出する切り出し片５Ａを複数残すようにして切欠形成し、この残されるように切欠形成された各切り出し片５Ａを直線縁部30Ａへ（図面下方へ）向けて略Ｕ状に屈曲することによって断面形状が略Ｕ状となる前記被嵌部５を構成している。
【００４１】
また、この被嵌部５は、前記角度指示板４の枢着部を境にした直線板部30の左右部二箇所に間隔を置いて形成すると共に、直線板部30の一端部に円弧縁部31Ａよりも外方へ突出するように延設形成した延設板部30Ｂにも同様にして前記被嵌部５を形成している。
【００４２】
即ち、本実施例では、間隔を置いて三箇所に被嵌部５を形成し、この三箇所の被嵌部５が切断ガイド板２一端側の外側縁の所定の三箇所に被嵌連結する構成としている。
【００４３】
また、この被嵌部５は、この被嵌部５を構成する切り出し片５Ａの先端縁が前記直線縁部30Ａよりも外方へ突出しないように切り出し片５Ａの切り出し長を設定して、角度報知板３の直線縁部30Ａ側を何かにぶつけたりした際でも被嵌部５が変形などの損傷を生じにくい構成としている。
【００４４】
具体的には、少なくとも中央開口部３Ａからの切り出し片５Ａによって構成された左右二箇所の被嵌部５については、その先端縁が直線縁部30Ａよりも外側へ突出しないように構成すると良い。また、図面では、これらの被嵌部５よりも幅の小さい延設板部30Ｂの被嵌部５も、同様にその先端縁が直線縁部30Ａよりも外側へ突出しないように構成した場合を示している。尚、被嵌部５の先端縁が直線縁部30Ａから外側へ短く突出する構造としても良い。
【００４５】
また、本実施例では、この直線縁部30Ａの両端部に、この直線縁部30Ａから円弧縁部31Ａ側へ向けて所定長の取付溝６を切欠形成し、一方、前記切断ガイド板２の一端側の一側面（図１において上面）の前記膨出ガイド部２Ａを避けた二箇所に、前記各取付溝６の間隔幅に対応した間隔を置いてこの各取付溝６に挿入する取付杆７を突設して、前記被嵌部５を前記切断ガイド板２の長手方向の外側縁に被嵌連結した際には、各取付溝６に各取付杆７が挿入する構成としている。
【００４６】
また、この取付溝６の一方を、前記直線縁部30Ａに対して直交する方向に溝長を有する溝に形成し、他方を、直線縁部30Ａに対して斜め方向に溝長を有する溝に形成して、連結状態の角度報知板３を切断ガイド板２の長さ方向と直交する方向に分離させた際には、前記傾斜取付溝６Ａに挿入した取付杆７が簡単に挿脱しない構成としている。
【００４７】
具体的には、直線板部30の前記延設板部30Ｂが存する側の反対側端部に、傾斜取付溝６Ａを形成し、この傾斜取付溝６Ａは、図示したようにその開放部側が前記角度指示板４の枢着部側に向かって傾斜するように斜設している。
【００４８】
また、前記被嵌部５のうち、直線板部30の延設板部30Ｂに形成した被嵌部５には、固定ネジ15を挿通する貫通孔14を形成し、前記取付溝６に前記取付杆７を挿入して切断ガイド板２と角度報知板３とを連結した際に、この貫通孔14に対応する切断ガイド板２位置に固定ネジ15を螺着する螺着孔16を形成している。
【００４９】
即ち、本実施例では、前記取付溝６に前記取付杆７を挿入すると共に、前記被嵌部５を切断ガイド板２の外側縁に被嵌し、この際連通状態となる前記貫通孔14と螺着孔16とに固定ネジ15を螺着することで、切断ガイド板２と角度報知板３との連結状態が固定保持されることになり、この連結固定状態から固定ネジ15を螺脱することで、切断ガイド板２と角度報知板３とを分離させることができる構成としている。
【００５０】
また、本実施例では、他方の傾斜取付溝６Ａ側の直線縁部30Ａと前記円弧縁部31Ａとの連設端縁をＲ形状に形成している。
【００５１】
即ち、取付溝６の他方だけを傾斜取付溝６Ａとした本実施例の場合、切断ガイド板２と角度報知板３とを連結する際には、両方の取付溝６に両方の取付杆７を同時に挿入することができない。そのため、先ず傾斜取付溝６Ａに片方（図３乃至図５において右側）の取付杆７を挿入し（図４参照。）、次いでこの傾斜取付溝６Ａに挿入した取付杆７を支点にして角度報知板３を回動させて一方の取付溝６にもう片方（図面左側）の取付杆７を挿入する（図５参照。）が、この際、前記Ｒ端縁３Ｂが角度報知板３の回動移動時に前記膨出ガイド部２Ａに接触して支障となることがなく、この連結作業を容易に行うことができるように構成している。
【００５２】
また、本実施例では、前記角度指示板４の前記枢着部寄りの両側外縁部を凹状に切欠して逃げ凹部17を形成し、角度指示板４を０度あるいは１８０度近くまで回動移動させた際にこの逃げ凹部17が前記被嵌部５を逃げるように構成している。即ち、図７に示すように、より０度，１８０度に近い位置にまで角度指示板４を回動移動させることができる構成としている。尚、本実施例では、この逃げ凹部17を形成したことにより、１０度〜１６０度の範囲で角度調整可能な構成としている。
【００５３】
次に、本実施例の使用方法を説明すると、被切断物１の大きさに応じて前記７種類のうちの適当な長さの切断ガイド板２を選択すると共に、この選択した切断ガイド板２の長さに応じて前記２種類のうちの適当な大きさの角度報知板３を選択して、切断ガイド板２の一端側に角度報知板３を連結する。切断方法については、従来品での方法と同様である。
【００５４】
尚、図８は小型の被切断物１に対応して最も短い切断ガイド板２と小型の角度報知板３を使用した場合を示し、図９は図８で示したものより大型（中型）な被切断物１に対応して長めの切断ガイド板２と小型の角度報知板３を使用した場合を示し、図１０は図９で示したものより更に大型の被切断物１に対応して最も長い切断ガイド板２と大型の角度報知板３を使用した場合を示している。
【００５５】
また、図面では、電動丸鋸９を使用して切断を行う場合を示しているが、もちろん他の切断工具を使用して切断を行うこともできる。
【００５６】
尚、本発明は、本実施例に限定されるものではなく、各構成要件の具体的構成は適宜設計変更可能である。
【図面の簡単な説明】
【００５７】
【図１】本実施例を示す一部を省略した斜視図である。
【図２】本実施例の被嵌部の構造を示す部分拡大説明断面図である。
【図３】本実施例の切断ガイド板と角度報知板とを分離した状態を示す説明正面図である。
【図４】図３の状態から、傾斜取付溝に片方の取付杆を挿入した状態を示す説明正面図である。
【図５】図４の状態から、角度報知板を回動移動させてもう一方の取付溝にもう片方の取付杆を挿入すると共に、被嵌部を切断ガイド板の外側縁に被嵌した状態（連結状態）を示す説明正面図である。
【図６】図５の背面図である。
【図７】本実施例の角度指示板を角度報知板に対して回動角度調整した際に、逃げ凹部が被嵌部を逃げる様子を示した説明正面図である。
【図８】本実施例の小型の被切断物に対する使用状態を示す説明図である。
【図９】本実施例の中型の被切断物に対する使用状態を示す説明図である。
【図１０】本実施例の大型の被切断物に対する使用状態を示す説明図である。
【符号の説明】
【００５８】
１  被切断物
２  切断ガイド板
３  角度報知板
３Ａ  中央開口部
30Ａ  直線縁部
31Ａ  円弧縁部
４  角度指示板
５  被嵌部
５Ａ  切り出し片
６  取付溝
６Ａ  傾斜取付溝
７  取付杆
【図１】
2006088358.tif 000003
【図２】
2006088358.tif 000004
【図３】
2006088358.tif 000005
【図４】
2006088358.tif 000006
【図５】
2006088358.tif 000007
【図６】
2006088358.tif 000008
【図７】
2006088358.tif 000009
【図８】
2006088358.tif 000010
【図９】
2006088358.tif 000011
【図１０】
2006088358.tif 000012